(57)【要約】【課題】リニア形態又はリング形態のネットワークを形成する通信装置（基幹系ネットワーク装置）において、装置識別情報及びＩＰアドレスを各通信装置に自動で設定出来るようにする。【解決手段】制御端末が、直接接続された親となる通信装置に対し、ネットワーク形態、装置台数、装置識別情報の元になるネットワーク名称及び、使用可能なＩＰアドレス一覧を設定する。親となる通信装置は、設定要求パケットを使用し、子となる通信装置に対し順番に、装置識別情報及びＩＰアドレスを通知する。子となる通信装置は、自装置の設定完了後、親となる通信装置に対し設定完了パケットを使用し通知する。親となる通信装置はネットワーク上の全ての通信装置から設定完了の通知を受信した後、制御端末に対し、装置識別情報及びＩＰアドレスの組み合わせ一覧情報を通知する。制御端末は、装置識別情報及びＩＰアドレスの組み合わせ一覧表を自動で作成する。【選択図】図２
2008236317.tif 000002
【特許請求の範囲】
【請求項１】
リニア形態又はリング形態のネットワークを形成し、親となる基幹系ネットワーク装置が、ネットワーク形態、装置台数、装置識別情報の元になるネットワーク名称、及び、使用可能なＩＰアドレス一覧に関する情報を保持し、親となる基幹系ネットワーク装置から子となる基幹系ネットワーク装置の各々に対し、順番に装置識別情報及びＩＰアドレスを通知する複数の基幹系ネットワーク装置と、
前記親となる基幹系ネットワーク装置に、ネットワーク形態、装置台数、装置識別情報の元になるネットワーク名称、及び、使用可能なＩＰアドレス一覧を設定し、前記親となる基幹系ネットワーク装置から、前記複数の基幹系ネットワーク装置の各々の装置識別情報及びＩＰアドレスの組み合わせ一覧情報を受信し、装置識別情報及びＩＰアドレスの組み合わせ一覧表を自動で作成する制御端末と
を含む
自動設定システム。
【請求項２】
請求項１に記載の自動設定システムであって、
前記各基幹系ネットワーク装置は、自装置で使用するＤＣＣ（Ｄａｔａ  Ｃｏｍｍｕｎｉｃａｔｉｏｎ  Ｃｈａｎｎｅｌ）経由で、自装置に隣接する基幹系ネットワーク装置に設定要求パケットを送信し、前記隣接する基幹系ネットワーク装置から設定完了パケットを受信する
自動設定システム。
【請求項３】
請求項２に記載の自動設定システムであって、
前記各基幹系ネットワーク装置は、設定要求パケットを受信した際、自装置の装置識別情報及びＩＰアドレスが設定されていなければ、自装置の装置識別情報及びＩＰアドレスを設定する
自動設定システム。
【請求項４】
請求項２又は３に記載の自動設定システムであって、
前記親となる基幹系ネットワーク装置は、自装置に隣接する基幹系ネットワーク装置から設定完了パケットを受信し、設定が完了した装置台数を記録し、設定された装置台数と設定が完了した装置台数とを比較して、設定が完了していない装置の有無を確認する
自動設定システム。
【請求項５】
請求項２乃至４のいずれか一項に記載の自動設定システムであって、
前記親となる基幹系ネットワーク装置は、設定されたネットワーク形態を確認し、ネットワーク形態がリング形態である時は自装置で使用するＤＣＣ番号の若い方（小さい方）経由で隣接する基幹系ネットワーク装置に設定要求パケットを送信する
自動設定システム。
【請求項６】
自装置が属するネットワークのネットワーク形態を示す情報を設定し管理するネットワーク形態設定部と、
自装置と同じネットワークに属し設定が完了した装置台数を示す情報を設定し管理する装置台数設定部と、
装置識別情報の元になるネットワーク名称を示す情報を設定し管理するネットワーク名称設定部と、
自装置の装置識別情報を設定し管理する装置識別情報設定部と、
自装置のＩＰアドレスを設定し管理するＩＰアドレス設定部と、
自装置及び同じネットワークに属する他の装置が使用可能なＩＰアドレス一覧を設定し管理する使用可能ＩＰアドレス一覧設定部と、
自装置で使用するＤＣＣ（Ｄａｔａ  Ｃｏｍｍｕｎｉｃａｔｉｏｎ  Ｃｈａｎｎｅｌ）経由で、隣接する装置に設定要求パケットを送信し、前記隣接する装置から設定完了パケットを受信するＤＣＣ通信部と
を具備する
基幹系ネットワーク装置。
【請求項７】
リニア形態又はリング形態のネットワークにおいて、隣接する装置から、ＤＣＣ（Ｄａｔａ  Ｃｏｍｍｕｎｉｃａｔｉｏｎ  Ｃｈａｎｎｅｌ）経由で、装置識別情報及びＩＰアドレスを含む設定要求パケットを受信し、前記隣接する装置に設定完了パケットを送信するＤＣＣ通信部と、
設定要求パケットに応じて自装置の装置識別情報を設定し管理する装置識別情報設定部と、
設定要求パケットに応じて自装置のＩＰアドレスを設定し管理するＩＰアドレス設定部と
を具備する
基幹系ネットワーク装置。
【請求項８】
複数の基幹系ネットワーク装置のうち、親となる基幹系ネットワーク装置と接続し、前記親となる基幹系ネットワーク装置に、ネットワーク形態、装置台数、装置識別情報の元になるネットワーク名称、及び、前記複数の基幹系ネットワーク装置の各々が使用可能なＩＰアドレス一覧を設定し、前記親となる基幹系ネットワーク装置から、前記各基幹系ネットワーク装置の装置識別情報及びＩＰアドレスの組み合わせ一覧情報を受信する接続部と、
前記各基幹系ネットワーク装置の装置識別情報及びＩＰアドレスの組み合わせ一覧情報に基づき、装置識別情報及びＩＰアドレスの組み合わせ一覧表を自動で作成し保管する組み合わせ一覧表管理部と
を具備する
接続端末。
【請求項９】
制御端末が、リニア形態又はリング形態のネットワークにおいて親となる基幹系ネットワーク装置に、ネットワーク形態、装置台数、装置識別情報の元になるネットワーク名称、及び、使用可能なＩＰアドレス一覧を設定するステップと、
前記親となる基幹系ネットワーク装置が、ネットワーク形態、装置台数、装置識別情報の元になるネットワーク名称、及び、前記ネットワーク上で使用可能なＩＰアドレス一覧に関する情報を保持し、子となる基幹系ネットワーク装置の各々に対し、順番に装置識別情報及びＩＰアドレスを含む設定要求パケットを送信するステップと、
前記子となる基幹系ネットワーク装置の各々が、設定要求パケットに応じて自装置に装置識別情報及びＩＰアドレスを設定し、前記親となる基幹系ネットワーク装置に設定完了パケットを送信するステップと、
前記親となる基幹系ネットワーク装置が、前記子となる基幹系ネットワーク装置の各々から設定完了パケットを受信し、装置識別情報及びＩＰアドレスの組み合わせ一覧情報を前記制御端末に送信するステップと、
前記制御端末が、前記親となる基幹系ネットワーク装置から、装置識別情報及びＩＰアドレスの組み合わせ一覧情報を受信し、装置識別情報及びＩＰアドレスの組み合わせ一覧表を自動で作成するステップと
を具備する
自動設定方法。
【請求項１０】
請求項９に記載の自動設定方法であって、
前記ネットワーク上の基幹系ネットワーク装置が、自装置で使用するＤＣＣ（Ｄａｔａ  Ｃｏｍｍｕｎｉｃａｔｉｏｎ  Ｃｈａｎｎｅｌ）経由で、自装置に隣接する基幹系ネットワーク装置に設定要求パケットを送信するステップと、
前記ネットワーク上の基幹系ネットワーク装置が、前記ＤＣＣ経由で、前記隣接する基幹系ネットワーク装置から設定完了パケットを受信するステップと
を更に具備する
自動設定方法。
【請求項１１】
請求項１０に記載の自動設定方法であって、
前記ネットワーク上の基幹系ネットワーク装置が、設定要求パケットを受信した際、自装置の装置識別情報及びＩＰアドレスが設定されていなければ、自装置の装置識別情報及びＩＰアドレスを設定するステップ
を更に具備する
自動設定方法。
【請求項１２】
請求項１０又は１１に記載の自動設定方法であって、
前記親となる基幹系ネットワーク装置が、自装置に隣接する基幹系ネットワーク装置から設定完了パケットを受信し、設定が完了した装置台数を記録し、設定された装置台数と設定が完了した装置台数とを比較して、設定が完了していない装置の有無を確認するステップ
を更に具備する
自動設定方法。
【請求項１３】
請求項１０乃至１２のいずれか一項に記載の自動設定方法であって、
前記親となる基幹系ネットワーク装置が、設定されたネットワーク形態を確認し、ネットワーク形態がリング形態である時は自装置で使用するＤＣＣ番号の若い方（小さい方）経由で隣接する基幹系ネットワーク装置に設定要求パケットを送信するステップ
を更に具備する
自動設定方法。
【請求項１４】
自装置が属するネットワークのネットワーク形態を示す情報を設定し管理するステップと、
自装置と同じネットワークに属し設定が完了した装置台数を示す情報を設定し管理するステップと、
装置識別情報の元になるネットワーク名称を示す情報を設定し管理するステップと、
自装置の装置識別情報を設定し管理するステップと、
自装置のＩＰアドレスを設定し管理するステップと、
自装置及び同じネットワークに属する他の装置が使用可能なＩＰアドレス一覧を設定し管理するステップと、
自装置で使用するＤＣＣ（Ｄａｔａ  Ｃｏｍｍｕｎｉｃａｔｉｏｎ  Ｃｈａｎｎｅｌ）経由で、隣接する装置に設定要求パケットを送信し、前記隣接する装置から設定完了パケットを受信するステップと
を具備する
自動設定方法。
【請求項１５】
リニア形態又はリング形態のネットワークにおいて、隣接する装置から、ＤＣＣ（Ｄａｔａ  Ｃｏｍｍｕｎｉｃａｔｉｏｎ  Ｃｈａｎｎｅｌ）経由で、装置識別情報及びＩＰアドレスを含む設定要求パケットを受信し、前記隣接する装置に設定完了パケットを送信するステップと、
設定要求パケットに応じて自装置の装置識別情報を設定し管理するステップと、
設定要求パケットに応じて自装置のＩＰアドレスを設定し管理するステップと
を具備する
自動設定方法。
【請求項１６】
複数の基幹系ネットワーク装置のうち、親となる基幹系ネットワーク装置と接続し、前記親となる基幹系ネットワーク装置に、ネットワーク形態、装置台数、装置識別情報の元になるネットワーク名称、及び、前記複数の基幹系ネットワーク装置の各々が使用可能なＩＰアドレス一覧を設定し、前記親となる基幹系ネットワーク装置から、前記各基幹系ネットワーク装置の装置識別情報及びＩＰアドレスの組み合わせ一覧情報を受信するステップと、
前記各基幹系ネットワーク装置の装置識別情報及びＩＰアドレスの組み合わせ一覧情報に基づき、装置識別情報及びＩＰアドレスの組み合わせ一覧表を自動で作成し保管するステップと
を具備する
自動設定方法。
【請求項１７】
請求項９乃至１６のいずれか一項に記載の自動設定方法を、コンピュータに実行させるためのプログラム。
【発明の詳細な説明】
【技術分野】
【０００１】
本発明は、自動設定システムに関し、特にリニア形態又はリング形態のネットワークにおける装置識別情報及びＩＰアドレスの自動設定システムに関する。
【背景技術】
【０００２】
従来のリニア形態（直線状）、又は、リング形態（環状）のネットワークを形成する、基幹系ネットワーク装置においては、装置識別情報、及び、ＩＰアドレスを、各基幹系ネットワーク装置に直接接続された制御装置を使用し、個別に設定する必要があった。
【０００３】
従来の、リニア形態のネットワークを形成する、基幹系ネットワーク装置における装置識別情報及びＩＰアドレス設定方法について、図１を参照して説明する。
【０００４】
図１を参照すると、従来の、リニア形態のネットワークは、基幹系ネットワーク装置１と、制御端末２を含む。
【０００５】
基幹系ネットワーク装置１（１−ｉ，ｉ＝１〜Ｘ：Ｘは装置数）は、リニア形態のネットワークを形成する。
【０００６】
制御端末２（２−ｉ，ｉ＝１〜Ｘ）は、対になる基幹系ネットワーク装置１に１対１で接続されている。例えば、基幹系ネットワーク装置１−１に対して制御端末２−１が接続され、基幹系ネットワーク装置１−２に対して制御端末２−２が接続されている。
【０００７】
従来の、リニア形態のネットワークを形成する、基幹系ネットワーク装置における装置識別情報及びＩＰアドレス設定方法においては、次のような課題がある。
【０００８】
例えば、各基幹系ネットワーク装置に装置識別情報、及び、ＩＰアドレス設定する場合、各基幹系ネットワーク装置の架前に行う必要があり、しかも、個別に制御端末を接続して設定する必要があるため、遠隔から装置識別情報、及び、ＩＰアドレス設定を出来ないということである。
【０００９】
関連する技術として、特開２００３−０４６５１９号公報（特許文献１）に、アドレス自動設定方法が開示されている。
この従来技術では、設定機は、空きＩＰアドレスを検出し、その空きＩＰアドレスを含むネットワークアドレスをブロードキャストにて送信する。ブロードキャストは、ネットワーク上のすべての機器に対して、情報を送信する。次に、被設定機は、ブロードキャストパケット内のネットワーク情報をデコードして、ＩＰアドレス等のネットワークアドレスを設定する。ネットワークアドレス設定後、被設定機から設定機に対して、確認用パケットをユニキャストにて送信する。ユニキャストは、指定したつの相手に対してのみ情報を送信する。ユニキャストは、正しいネットワーク設定が行われていないと通信ができないため、設定機は被設定機からの確認用パケットを受信することで、正しいネットワーク設定が行われたことを確認する。
【００１０】
また、特開２００５−３２７０７５号公報（特許文献２）に、ネットワーク構成設定方法、ネットワーク対応ホスト機器、及びネットワーク対応ターゲット機器が開示されている。
この従来技術では、ホスト機器はターゲットＩＰアドレスの割り当てが終わり、ネットワーク設定パケットを送信すると、ネットワーク設定レスポンスパケット待ちとなる。ターゲット機器は、ネットワーク設定パケットを受信するとパケットタイプ・フィールドによりリクエストパケットであることを判別すると、受信したネットワーク設定パケットから、ターゲットＩＰアドレス、サブネットマスク、ゲートウエイアドレス、ＤＮＳサーバーアドレスを取り出し、それにより自機器のネットワーク設定変更を行う。ターゲット機器はネットワーク設定変更を有効にするためにリブートし、リブート後に新しいＩＰアドレスに基づいてネットワーク設定ページＵＲＩを更新する。更新したネットワーク設定ページＵＲＩをターゲット機器ネットワーク設定ページＵＲＩ・フィールドにセットし、パケットタイプ・フィールドにレスポンスパケットを示す識別情報をセットし、メッセージタイプ・フィールドにはネットワーク設定要求を受け入れた旨の識別情報をセットしてネットワーク設定パケットをネットワークにブロードキャスト送信する。次に、ホスト機器は、ネットワーク設定パケットを受信し、パケットタイプ・フィールドによりレスポンスパケットであることを判別すると、受信したネットワーク設定パケットのターゲット機器ネットワーク設定ページＵＲＩ・フィールドからターゲット機器のネットワーク設定ページＵＲＩを取り出し、Ｗｅｂブラウザを起動してネットワーク設定ページＵＲＩで指定されるネットワーク設定ページを表示する。
【００１１】
また、特開平０８−２３７２８５号公報（特許文献３）に、インターネットプロトコルアドレスの自動設定方法が開示されている。
この従来技術では、ホストは各端末のＩＰアドレスを決定して各端末に通知するために、例えばＵＤＰのフォーマットに準じて生成した通知パケットを各端末に対して個別に送出する。各端末はホストが送出した通知パケットを受信し、受信した通知パケットにより通知されたＩＰアドレスを各端末が所有するＩＰアドレス格納テーブルの中に設定すると共に、ホストの物理アドレスを登録し、以後この設定したＩＰアドレスにより通信を行う。
【００１２】
また、特開平１１−３３１２７０号公報（特許文献４）に、ネットワークシステムが開示されている。
この従来技術では、ネットワークシステム上のネットワーク機器を管理する管理端末で各ネットワーク機器に必要な設定情報のうち、各機器のみが交友に持つ設定情報のみを与えることにより、各ネットワーク機器間で相互に必要となる設定情報を相互に参照しあうことを通じて、各ネットワーク機器が必要とする全設定情報を自動的に加工し、設定情報を作成、配布することにより、ネットワーク全体構成の中で各ネットワーク機器が必要とする全設定情報を自動的に加工し、配布する。
【００１３】
【特許文献１】特開２００３−０４６５１９号公報
【特許文献２】特開２００５−３２７０７５号公報
【特許文献３】特開平０８−２３７２８５号公報
【特許文献４】特開平１１−３３１２７０号公報
【発明の開示】
【発明が解決しようとする課題】
【００１４】
本発明においては、親となる基幹系ネットワーク装置に対し、ネットワーク形態、装置台数、装置識別情報の元になるネットワーク名称、及び、使用可能なＩＰアドレス一覧を設定すると、親となる基幹系ネットワーク装置が、設定要求パケットを使用し、リニア形態又はリング形態のネットワークを形成する各基幹系ネットワーク装置に対し、装置識別情報、及び、ＩＰアドレス情報を自動で通知し、設定要求パケットを受信した各基幹系ネットワーク装置が、自装置に対し装置識別情報、及び、ＩＰアドレス情報を設定することにより解決する。
【００１５】
本発明の目的は、リニア形態又はリング形態のネットワークを形成する基幹系ネットワーク装置において、装置識別情報及びＩＰアドレスの設定を自動で実施する自動設定システムを提供することである。
【課題を解決するための手段】
【００１６】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１７】
本発明の自動設定システムは、リニア形態又はリング形態のネットワークを形成し、親となる基幹系ネットワーク装置（１０−１）が、ネットワーク形態、装置台数、装置識別情報の元になるネットワーク名称、及び、使用可能なＩＰアドレス一覧に関する情報を保持し、親となる基幹系ネットワーク装置（１０−１）から子となる基幹系ネットワーク装置の各々（１０−２〜１０−Ｘ）に対し、順番に装置識別情報及びＩＰアドレスを通知する複数の基幹系ネットワーク装置（１０）と、親となる基幹系ネットワーク装置（１０−１）に、ネットワーク形態、装置台数、装置識別情報の元になるネットワーク名称、及び、使用可能なＩＰアドレス一覧を設定し、親となる基幹系ネットワーク装置（１０−１）から、複数の基幹系ネットワーク装置（１０）の各々の装置識別情報及びＩＰアドレスの組み合わせ一覧情報を受信し、装置識別情報及びＩＰアドレスの組み合わせ一覧表を自動で作成する制御端末（２０）とを含む。
【００１８】
各基幹系ネットワーク装置（１０）は、自装置で使用するＤＣＣ（Ｄａｔａ  Ｃｏｍｍｕｎｉｃａｔｉｏｎ  Ｃｈａｎｎｅｌ）経由で、自装置に隣接する基幹系ネットワーク装置（１０）に設定要求パケットを送信し、隣接する基幹系ネットワーク装置（１０−Ｘ）から設定完了パケットを受信する。ここで、自装置が、基幹系ネットワーク装置（１０−１）の場合、自装置に隣接する基幹系ネットワーク装置は、基幹系ネットワーク装置（１０−２）である。
【００１９】
各基幹系ネットワーク装置（１０）は、設定要求パケットを受信した際、自装置の装置識別情報及びＩＰアドレスが設定されていなければ、自装置の装置識別情報及びＩＰアドレスを設定する。
【００２０】
親となる基幹系ネットワーク装置（１０−１）は、自装置に隣接する基幹系ネットワーク装置（１０−２）から設定完了パケットを受信し、設定が完了した装置台数を記録し、設定された装置台数と設定が完了した装置台数とを比較して、設定が完了していない装置の有無を確認する。
【００２１】
親となる基幹系ネットワーク装置（１０−１）は、設定されたネットワーク形態を確認し、ネットワーク形態がリング形態である時は自装置で使用するＤＣＣ番号の若い方（小さい方）経由で隣接する基幹系ネットワーク装置（１０−２）に設定要求パケットを送信する。
【００２２】
本発明の基幹系ネットワーク装置（１０）は、自装置が属するネットワークのネットワーク形態を示す情報を設定し管理するネットワーク形態設定部（１１）と、自装置と同じネットワークに属し設定が完了した装置台数を示す情報を設定し管理する装置台数設定部（１２）と、装置識別情報の元になるネットワーク名称を示す情報を設定し管理するネットワーク名称設定部（１３）と、自装置の装置識別情報を設定し管理する装置識別情報設定部（１４）と、自装置のＩＰアドレスを設定し管理するＩＰアドレス設定部（１５）と、自装置及び同じネットワークに属する他の装置が使用可能なＩＰアドレス一覧を設定し管理する使用可能ＩＰアドレス一覧設定部（１６）と、自装置で使用するＤＣＣ（Ｄａｔａ  Ｃｏｍｍｕｎｉｃａｔｉｏｎ  Ｃｈａｎｎｅｌ）経由で、隣接する装置に設定要求パケットを送信し、隣接する装置から設定完了パケットを受信するＤＣＣ通信部（１７）とを具備する。
【００２３】
本発明の他の基幹系ネットワーク装置（１０）は、リニア形態又はリング形態のネットワークにおいて、隣接する装置から、ＤＣＣ（Ｄａｔａ  Ｃｏｍｍｕｎｉｃａｔｉｏｎ  Ｃｈａｎｎｅｌ）経由で、装置識別情報及びＩＰアドレスを含む設定要求パケットを受信し、隣接する装置に設定完了パケットを送信するＤＣＣ通信部（１７）と、設定要求パケットに応じて自装置の装置識別情報を設定し管理する装置識別情報設定部（１４）と、設定要求パケットに応じて自装置のＩＰアドレスを設定し管理するＩＰアドレス設定部（１５）とを具備する。
【００２４】
本発明の制御端末（２０）は、複数の基幹系ネットワーク装置（１０）のうち、親となる基幹系ネットワーク装置（１０−１）と接続し、親となる基幹系ネットワーク装置（１０−１）に、ネットワーク形態、装置台数、装置識別情報の元になるネットワーク名称、及び、複数の基幹系ネットワーク装置（１０）の各々が使用可能なＩＰアドレス一覧を設定し、親となる基幹系ネットワーク装置（１０−１）から、各基幹系ネットワーク装置（１０）の装置識別情報及びＩＰアドレスの組み合わせ一覧情報を受信する接続部（２１）と、各基幹系ネットワーク装置（１０）の装置識別情報及びＩＰアドレスの組み合わせ一覧情報に基づき、装置識別情報及びＩＰアドレスの組み合わせ一覧表を自動で作成し保管する組み合わせ一覧表管理部（２２）とを具備する。
【００２５】
本発明の自動設定方法は、制御端末（２０）が、リニア形態又はリング形態のネットワークにおいて親となる基幹系ネットワーク装置（１０−１）に、ネットワーク形態、装置台数、装置識別情報の元になるネットワーク名称、及び、使用可能なＩＰアドレス一覧を設定するステップと、親となる基幹系ネットワーク装置（１０−１）が、ネットワーク形態、装置台数、装置識別情報の元になるネットワーク名称、及び、ネットワーク上で使用可能なＩＰアドレス一覧に関する情報を保持し、子となる基幹系ネットワーク装置の各々（１０−２〜１０−Ｘ）に対し、順番に装置識別情報及びＩＰアドレスを含む設定要求パケットを送信するステップと、子となる基幹系ネットワーク装置の各々（１０−２〜１０−Ｘ）が、設定要求パケットに応じて自装置に装置識別情報及びＩＰアドレスを設定し、親となる基幹系ネットワーク装置（１０−１）に設定完了パケットを送信するステップと、親となる基幹系ネットワーク装置（１０−１）が、子となる基幹系ネットワーク装置の各々（１０−２〜１０−Ｘ）から設定完了パケットを受信し、装置識別情報及びＩＰアドレスの組み合わせ一覧情報を制御端末（２０）に送信するステップと、制御端末（２０）が、親となる基幹系ネットワーク装置（１０−１）から、装置識別情報及びＩＰアドレスの組み合わせ一覧情報を受信し、装置識別情報及びＩＰアドレスの組み合わせ一覧表を自動で作成するステップとを具備する。
【００２６】
本発明の自動設定方法は、ネットワーク上の基幹系ネットワーク装置（１０−（Ｘ−１））が、自装置で使用するＤＣＣ（Ｄａｔａ  Ｃｏｍｍｕｎｉｃａｔｉｏｎ  Ｃｈａｎｎｅｌ）経由で、自装置に隣接する基幹系ネットワーク装置（１０）に設定要求パケットを送信するステップと、ネットワーク上の基幹系ネットワーク装置（１０−（Ｘ−１））が、ＤＣＣ経由で、隣接する基幹系ネットワーク装置（１０−Ｘ）から設定完了パケットを受信するステップとを更に具備する。
【００２７】
本発明の自動設定方法は、ネットワーク上の基幹系ネットワーク装置（１０−（Ｘ−１））が、設定要求パケットを受信した際、自装置の装置識別情報及びＩＰアドレスが設定されていなければ、自装置の装置識別情報及びＩＰアドレスを設定するステップを更に具備する。
【００２８】
本発明の自動設定方法は、親となる基幹系ネットワーク装置（１０−１）が、自装置に隣接する基幹系ネットワーク装置（１０−２）から設定完了パケットを受信し、設定が完了した装置台数を記録し、設定された装置台数と設定が完了した装置台数とを比較して、設定が完了していない装置の有無を確認するステップを更に具備する。
【００２９】
本発明の自動設定方法は、親となる基幹系ネットワーク装置（１０−１）が、設定されたネットワーク形態を確認し、ネットワーク形態がリング形態である時は自装置で使用するＤＣＣ番号の若い方（小さい方）経由で隣接する基幹系ネットワーク装置（１０−２）に設定要求パケットを送信するステップを更に具備する。
【００３０】
本発明の他の自動設定方法は、自装置が属するネットワークのネットワーク形態を示す情報を設定し管理するステップと、自装置と同じネットワークに属し設定が完了した装置台数を示す情報を設定し管理するステップと、装置識別情報の元になるネットワーク名称を示す情報を設定し管理するステップと、自装置の装置識別情報を設定し管理するステップと、自装置のＩＰアドレスを設定し管理するステップと、自装置及び同じネットワークに属する他の装置が使用可能なＩＰアドレス一覧を設定し管理するステップと、自装置で使用するＤＣＣ（Ｄａｔａ  Ｃｏｍｍｕｎｉｃａｔｉｏｎ  Ｃｈａｎｎｅｌ）経由で、隣接する装置に設定要求パケットを送信し、隣接する装置から設定完了パケットを受信するステップとを具備する。これは、本発明の基幹系ネットワーク装置（１０）における自動設定方法を示す。
【００３１】
本発明の他の自動設定方法は、リニア形態又はリング形態のネットワークにおいて、隣接する装置から、ＤＣＣ（Ｄａｔａ  Ｃｏｍｍｕｎｉｃａｔｉｏｎ  Ｃｈａｎｎｅｌ）経由で、装置識別情報及びＩＰアドレスを含む設定要求パケットを受信し、隣接する装置に設定完了パケットを送信するステップと、設定要求パケットに応じて自装置の装置識別情報を設定し管理するステップと、設定要求パケットに応じて自装置のＩＰアドレスを設定し管理するステップとを具備する。これは、本発明の基幹系ネットワーク装置（１０）における自動設定方法を示す。
【００３２】
本発明の他の自動設定方法は、複数の基幹系ネットワーク装置（１０）のうち、親となる基幹系ネットワーク装置（１０−１）と接続し、親となる基幹系ネットワーク装置（１０−１）に、ネットワーク形態、装置台数、装置識別情報の元になるネットワーク名称、及び、複数の基幹系ネットワーク装置（１０）の各々が使用可能なＩＰアドレス一覧を設定し、親となる基幹系ネットワーク装置（１０−１）から、各基幹系ネットワーク装置（１０）の装置識別情報及びＩＰアドレスの組み合わせ一覧情報を受信するステップと、各基幹系ネットワーク装置（１０）の装置識別情報及びＩＰアドレスの組み合わせ一覧情報に基づき、装置識別情報及びＩＰアドレスの組み合わせ一覧表を自動で作成し保管するステップとを具備する。これは、本発明の制御端末（２０）における自動設定方法を示す。
【００３３】
本発明のプログラムは、上記のいずれかの自動設定方法をコンピュータに実行させる。
【発明の効果】
【００３４】
第１の効果は、親となる第１の基幹系ネットワーク装置が、リニア形態又はリング形態のネットワークを形成する第２の基幹系ネットワーク装置から第Ｘの基幹系ネットワーク装置に対し、設定要求パケットを使用し装置識別情報、及び、ＩＰアドレスを通知し、親となる第１の基幹系ネットワーク装置から装置識別情報、及び、ＩＰアドレスを受信した第２の基幹系ネットワーク装置から第Ｘの基幹系ネットワーク装置が装置識別情報、及び、ＩＰアドレスを自装置に設定し、設定が完了したことを親となる第１の基幹系ネットワーク装置に通知しているので、装置識別情報、及び、ＩＰアドレスを、各基幹系ネットワーク装置に自動で設定出来ることである。
第２の効果は、親となる第１の基幹系ネットワーク装置が、リニア形態又はリング形態のネットワークを形成する全ての基幹系ネットワーク装置から設定完了の通知を受信した後、制御端末に対し、装置識別情報、及び、ＩＰアドレスの組み合わせ一覧情報を通知することにより、制御端末の装置識別情報、及び、ＩＰアドレスの組み合わせ一覧表を更新できることである。
【発明を実施するための最良の形態】
【００３５】
以下に、本発明の第１実施形態について添付図面を参照して説明する。
図２を参照すると、本実施形態に係るネットワークは、基幹系ネットワーク装置１０と、制御端末２０を含む。
【００３６】
基幹系ネットワーク装置１０（１０−ｉ，ｉ＝１〜Ｘ：Ｘは装置数）は、リニア形態、又は、リング形態のネットワークを形成する。ここでは、リニア形態のネットワークを形成している。
【００３７】
制御端末２０は、親となる基幹系ネットワーク装置１０−１に直接接続されており、オペレータは制御端末２０を使用し、親となる基幹系ネットワーク装置１０−１に対し、ネットワーク形態、装置台数、装置識別情報の元になるネットワーク名称、及び、使用可能なＩＰアドレス一覧を設定する。
【００３８】
親となる基幹系ネットワーク装置１０−１は、ネットワーク形態、装置台数、装置識別情報の元になるネットワーク名称、及び、使用可能なＩＰアドレス一覧が設定された後、設定要求パケットを使用し、子となる基幹系ネットワーク装置１０−２から基幹系ネットワーク装置１０−Ｘに対し、順番に装置識別情報、及び、ＩＰアドレスを通知する。
【００３９】
基幹系ネットワーク装置１０−２から基幹系ネットワーク装置１０−Ｘは、親となる基幹系ネットワーク装置１０−１から装置識別情報、及び、ＩＰアドレスを受信し、装置識別情報、及び、ＩＰアドレスを、自装置に対し設定した後、設定が完了したことを、親となる基幹系ネットワーク装置１０−１に対し設定完了パケットを使用し通知する。
【００４０】
親となる基幹系ネットワーク装置１０−１は、リニア形態のネットワークを形成する全ての基幹系ネットワーク装置から設定完了の通知を受信した後、制御端末２０に対し、装置識別情報、及び、ＩＰアドレスの組み合わせ一覧情報を通知する。
【００４１】
制御端末２０は、親となる基幹系ネットワーク装置１０−１から、装置識別情報、及び、ＩＰアドレスの組み合わせ一覧情報を受信し、装置識別情報、及び、ＩＰアドレスの組み合わせ一覧表を自動で作成／更新する。
【００４２】
次に、図３Ａ〜図３Ｄを参照して、図２の基幹系ネットワーク装置によって形成されるリニア形態のネットワークにおける、装置識別情報、及び、ＩＰアドレス自動設定の動作を説明する。
（１）ステップＳ１０１
まず、オペレータは親となる基幹系ネットワーク装置１０−１に直接接続されている制御端末２０を使用し、親となる基幹系ネットワーク装置１０−１に対し、ネットワーク形態（リニア形態）、装置台数（例えば、Ｘ台）、装置識別情報の元になるネットワーク名称（例えば、「リニアネットワーク＃１」）、及び、使用可能なＩＰアドレス一覧（例えば、「１９２．１６８．１．１〜１９２．１６８．１．Ｘ」）を設定する。
（２）ステップＳ１０２
ネットワーク形態（リニア形態）、装置台数（例えば、Ｘ台）、装置識別情報の元になるネットワーク名称（例えば、「リニアネットワーク＃１」）、及び、使用可能なＩＰアドレス一覧（例えば、「１９２．１６８．１．１〜１９２．１６８．１．Ｘ」）が設定された親となる基幹系ネットワーク装置１０−１は、自装置の装置識別情報を「リニアネットワーク＃１−１」に、自装置のＩＰアドレスを「１９２．１６８．１．１」に設定すると共に、設定が完了した装置台数を１に変更する。
（３）ステップＳ１０３
次に、親となる基幹系ネットワーク装置１０−１は、設定されたネットワーク形態を確認する。ここでは、ネットワーク形態がリニア形態であるか確認する。確認の結果、ネットワーク形態がリニア形態でない時は、処理を終了する。
（４）ステップＳ１０４
確認の結果、ネットワーク形態がリニア形態である場合、親となる基幹系ネットワーク装置１０−１は、自装置で使用するＤＣＣ（Ｄａｔａ  Ｃｏｍｍｕｎｉｃａｔｉｏｎ  Ｃｈａｎｎｅｌ）は一つである為、このＤＣＣ経由（図２の例では、ＤＣＣ１側）で、隣の装置である基幹系ネットワーク装置１０−２に対し、設定要求パケットを使用し、装置識別情報を「リニアネットワーク＃１−２」に、ＩＰアドレスを「１９２．１６８．１．２」に設定するよう要求を送る。
（５）ステップＳ１０５
設定要求パケットを受信した基幹系ネットワーク装置１０−２は、自装置の装置識別情報、及び、ＩＰアドレスが設定されているか確認する。自装置の装置識別情報、及び、ＩＰアドレスが設定されている場合、親となる基幹系ネットワーク装置１０−１に対し、設定完了パケットを受信したＤＣＣ経由で送り返す。
（６）ステップＳ１０６
自装置の装置識別情報、及び、ＩＰアドレスが設定されていない場合、基幹系ネットワーク装置１０−２は、自装置の装置識別情報を「リニアネットワーク＃１−２」に、自装置のＩＰアドレスを「１９２．１６８．１．２」に設定する。設定が完了すると、基幹系ネットワーク装置１０−２は親となる基幹系ネットワーク装置１０−１に対し、設定完了パケットを受信したＤＣＣ経由で送り返す。
（７）ステップＳ１０７
親となる基幹系ネットワーク装置１０−１は、基幹系ネットワーク装置１０−２からの設定完了パケットを受信後、設定が完了した装置台数を１プラスした後、設定された装置台数と、設定が完了した装置台数を比較する。１プラスとは、設定が完了した装置台数を示す変数の値を１増加（ｉｎｃｒｅｍｅｎｔ）することである。
（８）ステップＳ１０８
比較の結果、まだ設定されていない装置がある場合、親となる基幹系ネットワーク装置１０−１は、基幹系ネットワーク装置１０−２を経由して、次の基幹系ネットワーク装置１０−３に対し、設定要求パケットを使用し設定情報を送る。
（９）ステップＳ１０９
親となる基幹系ネットワーク装置１０−１からの、基幹系ネットワーク装置１０−３に対する設定要求パケットを受信した基幹系ネットワーク装置１０−２は、自装置の装置識別情報、及び、ＩＰアドレスが設定されているか確認する。装置識別情報、及び、ＩＰアドレスが設定されていない場合、自装置に装置識別情報、及び、ＩＰアドレスを設定する（ステップＳ１０６に戻る）。
（１０）ステップＳ１１０
装置識別情報、及び、ＩＰアドレスが設定されている場合、基幹系ネットワーク装置１０−２は、設定要求パケットを受信したＤＣＣポートと別のＤＣＣポートに対し、設定要求パケットを送る。すなわち、別のＤＣＣを経由して、基幹系ネットワーク装置１０−３に設定要求パケットを送る。
（１１）ステップＳ１１１
設定要求パケットを受信した基幹系ネットワーク装置１０−３は、自装置の装置識別情報、及び、ＩＰアドレスが設定されているか確認する。
（１２）ステップＳ１１２
自装置の装置識別情報、及び、ＩＰアドレスが設定されていない場合、基幹系ネットワーク装置１０−３は、自装置の装置識別情報、及び、ＩＰアドレスを設定する。
設定が完了すると、基幹系ネットワーク装置１０−３は親となる基幹系ネットワーク装置１０−１に対し、設定完了パケットを設定要求パケットを受信したＤＣＣ経由で送り返す。基幹系ネットワーク装置１０−３からの設定完了パケット受信した基幹系ネットワーク装置１０−２は、設定要求パケットを受信したＤＣＣポートと別のＤＣＣポートに対し、設定要求パケットを送る。
（１３）ステップＳ１１３
親となる基幹系ネットワーク装置１０−１は、基幹系ネットワーク装置１０−３からの設定完了パケットを受信後、設定が完了した装置台数を１プラスした後、設定された装置台数と、設定が完了した装置台数を比較する。
（１４）ステップＳ１１４
比較の結果、まだ設定されていない装置がある場合、親となる基幹系ネットワーク装置１０−１はＤＣＣ１側経由で、更に次の基幹系ネットワーク装置に対し、設定要求パケットを使用し設定情報を送る。以降同様に設定要求パケット、及び、設定完了パケットをやり取りしながら、親となる基幹系ネットワーク装置１０−１は各基幹系ネットワーク装置に対し、装置識別情報、及び、ＩＰアドレスを順番に設定する。すなわち、先に説明した基幹系ネットワーク装置１０−２、基幹系ネットワーク装置１０−３に対する設定と同じ動作を、基幹系ネットワーク装置１０−Ｘまで繰り返す。
（１５）ステップＳ１１５
親となる基幹系ネットワーク装置１０−１は、基幹系ネットワーク装置１０−Ｘからの設定完了パケットを受信後、設定が完了した装置台数を１プラスした後、設定された装置台数と、設定が完了した装置台数を比較する。比較の結果、設定された装置台数と、設定が完了した装置台数が一致する為、全ての基幹ネットワーク装置の設定が完了したと判断する。
（１６）ステップＳ１１６
最後に、親となる基幹系ネットワーク装置１０−１は、制御端末２０に対し、装置識別情報、及び、ＩＰアドレスの組み合わせ一覧情報を通知する。
（１７）ステップＳ１１７
親となる基幹系ネットワーク装置１０−１から、装置識別情報、及び、ＩＰアドレスの組み合わせ一覧情報を受信した制御端末２０は、装置識別情報、及び、ＩＰアドレスの組み合わせ一覧表を自動で作成／更新する。
【００４３】
このとき、図４に示すように、基幹系ネットワーク装置１０は、ネットワーク形態設定部１１と、装置台数設定部１２と、ネットワーク名称設定部１３と、装置識別情報設定部１４と、ＩＰアドレス設定部１５と、使用可能ＩＰアドレス一覧設定部１６と、ＤＣＣ通信部１７を備える。
【００４４】
なお、ネットワーク形態設定部１１と、装置台数設定部１２と、ネットワーク名称設定部１３と、使用可能ＩＰアドレス一覧設定部１６については、親となる基幹系ネットワーク装置１０−１のみ備えるようにしても良い。
【００４５】
ネットワーク形態設定部１１は、基幹系ネットワーク装置１０が属するネットワークのネットワーク形態（リニア形態／リング形態）を示す情報を設定し管理する。装置台数設定部１２は、基幹系ネットワーク装置１０と同じネットワークに属し設定が完了した装置台数（例えば、Ｘ台）を示す情報を設定し管理する。ネットワーク名称設定部１３は、装置識別情報の元になるネットワーク名称（例えば、「リニアネットワーク＃１」）を示す情報を設定し管理する。装置識別情報設定部１４は、自装置の装置識別情報（例えば、「リニアネットワーク＃１−１」）を設定し管理する。ＩＰアドレス設定部１５は、自装置のＩＰアドレス（例えば、「１９２．１６８．１．１」）を設定し管理する。使用可能ＩＰアドレス一覧設定部１６は、同じネットワークに属する基幹系ネットワーク装置１０（例えば、「１０−１〜１０−Ｘ」）が使用可能なＩＰアドレス一覧（例えば、「１９２．１６８．１．１〜１９２．１６８．１．Ｘ」）を設定し管理する。ＤＣＣ通信部１７は、自装置で使用するＤＣＣ（Ｄａｔａ  Ｃｏｍｍｕｎｉｃａｔｉｏｎ  Ｃｈａｎｎｅｌ）経由で、隣の基幹系ネットワーク装置と通信する。ここでは、隣の基幹系ネットワーク装置に設定要求パケットを送信し、隣の基幹系ネットワーク装置から設定完了パケットを受信する。送受信されるパケットは、隣の基幹系ネットワーク装置以外の他の基幹系ネットワーク装置に対するものを含む。なお、基幹系ネットワーク装置１０が親となる基幹系ネットワーク装置１０−１の場合は、制御端末２０とも通信する。制基幹系ネットワーク装置１０と制御端末２０間の通信は、ＤＣＣ経由でなくとも良い。
【００４６】
また、図５に示すように、制御端末２０は、接続部２１と、組み合わせ一覧表管理部２２を備える。
【００４７】
接続部２１は、親となる基幹系ネットワーク装置１０−１と接続し、親となる基幹系ネットワーク装置１０−１に、ネットワーク形態、装置台数、装置識別情報の元になるネットワーク名称、及び、使用可能なＩＰアドレス一覧を設定する。また、親となる基幹系ネットワーク装置１０−１から、ネットワーク上の基幹系ネットワーク装置１０毎の装置識別情報及びＩＰアドレスの組み合わせ一覧情報を受信する。組み合わせ一覧表管理部２２は、装置識別情報及びＩＰアドレスの組み合わせ一覧情報に基づき、装置識別情報及びＩＰアドレスの組み合わせ一覧表を自動で作成／更新し保管する。
【００４８】
次に、本発明の第２実施形態について説明する。
本発明の第２実施形態として、リング形態のネットワークを形成する、基幹系ネットワーク装置における装置識別情報及びＩＰアドレス設定方法が考えられる。
【００４９】
図６を参照すると、本実施形態に係るネットワークは、基幹系ネットワーク装置１０と、制御端末２０を含む。
【００５０】
基幹系ネットワーク装置１０（１０−ｉ，ｉ＝１〜Ｘ：Ｘは装置数）は、リニア形態、又は、リング形態のネットワークを形成する。ここでは、リング形態のネットワークを形成している。
【００５１】
制御端末２０は、親となる基幹系ネットワーク装置１０−１に直接接続されており、オペレータは制御端末２０を使用し、親となる基幹系ネットワーク装置１０−１に対し、ネットワーク形態、装置台数、装置識別情報の元になるネットワーク名称、及び、使用可能なＩＰアドレス一覧を設定する。
【００５２】
親となる基幹系ネットワーク装置１０−１は、ネットワーク形態、装置台数、装置識別情報の元になるネットワーク名称、及び、使用可能なＩＰアドレス一覧が設定された後、設定要求パケットを使用し、子となる基幹系ネットワーク装置１０−２から基幹系ネットワーク装置１０−Ｘに対し、順番に装置識別情報、及び、ＩＰアドレスを通知する。
【００５３】
基幹系ネットワーク装置１０−２から基幹系ネットワーク装置１０−Ｘは、親となる基幹系ネットワーク装置１０−１から装置識別情報、及び、ＩＰアドレスを受信し、装置識別情報、及び、ＩＰアドレスを、自装置に対し設定した後、設定が完了したことを、親となる基幹系ネットワーク装置１０−１に対し設定完了パケットを使用し通知する。
【００５４】
親となる基幹系ネットワーク装置１０−１は、リング形態のネットワークを形成する全ての基幹系ネットワーク装置から設定完了の通知を受信した後、制御端末２０に対し、装置識別情報、及び、ＩＰアドレスの組み合わせ一覧情報を通知する。
【００５５】
親となる基幹系ネットワーク装置１０−１から、装置識別情報、及び、ＩＰアドレスの組み合わせ一覧情報を受信した制御端末２０は、装置識別情報、及び、ＩＰアドレスの組み合わせ一覧表を自動で作成する。
【００５６】
次に、図７Ａ〜図７Ｄを参照して、図６の基幹系ネットワーク装置によって形成されるリング形態のネットワークにおける、装置識別情報、及び、ＩＰアドレス自動設定の動作を説明する。
（１）ステップＳ２０１
まず、オペレータは親となる基幹系ネットワーク装置１０−１に直接接続されている制御端末２０を使用し、親となる基幹系ネットワーク装置１０−１に対し、ネットワーク形態（リング形態）、装置台数（例えば、Ｘ台）、装置識別情報の元になるネットワーク名称（例えば、「リングネットワーク＃１」）、及び、使用可能なＩＰアドレス一覧（例えば、「１９２．１６８．１．１〜１９２．１６８．１．Ｘ」）を設定する。
（２）ステップＳ２０２
ネットワーク形態（リング形態）、装置台数（例えば、Ｘ台）、装置識別情報の元になるネットワーク名称（例えば、「リングネットワーク＃１」）、及び、使用可能なＩＰアドレス一覧（例えば、「１９２．１６８．１．１〜１９２．１６８．１．Ｘ」）が設定された親となる基幹系ネットワーク装置１０−１は、自装置の装置識別情報を「リングネットワーク＃１−１」に、自装置のＩＰアドレスを「１９２．１６８．１．１」に設定すると共に、設定が完了した装置台数を１に変更する。
（３）ステップＳ２０３
次に、親となる基幹系ネットワーク装置１０−１は、設定されたネットワーク形態を確認する。ここでは、ネットワーク形態がリング形態であるか確認する。確認の結果、ネットワーク形態がリング形態でない時は、処理を終了する。なお、ネットワーク形態がリニア形態である時は、図３Ａ〜図３Ｄに示された第１実施形態のステップＳ１０４以降の処理を行うようにしても良い。逆に、図３Ａに示された第１実施形態のステップＳ１０３において、ネットワーク形態がリング形態である時は、本実施形態のステップＳ２０４以降の処理を行うようにしても良い。
（４）ステップＳ２０４
確認の結果、ネットワーク形態がリング形態である時は自装置で使用するＤＣＣ番号の若い方（数字の小さい方）経由（図６の例では、ＤＣＣ１側）で、隣接装置である基幹系ネットワーク装置１０−２に対し、設定要求パケットを使用し、装置識別情報を「リングネットワーク＃１−２」に、ＩＰアドレスを「１９２．１６８．１．２」に設定するよう要求を送る。但し、実際には、上記とは逆に、ＤＣＣ番号の若くない方（数字の大きい方）経由（図６の例では、ＤＣＣ２側）で、隣接装置である基幹系ネットワーク装置１０−Ｘに対し、設定要求パケットを送信するようにすることも可能である。また、ＤＣＣ１側とＤＣＣ２側の両側に、各々に応じた設定要求パケットを送信するようにしても良い。この場合、基幹系ネットワーク装置１０−２側と基幹系ネットワーク装置１０−Ｘ側で、同時に設定を進めることが可能になる。
（５）ステップＳ２０５
設定要求パケットを受信した基幹系ネットワーク装置１０−２は、自装置の装置識別情報、及び、ＩＰアドレスが設定されているか確認する。
（６）ステップＳ２０６
自装置の装置識別情報、及び、ＩＰアドレスが設定されていない場合、基幹系ネットワーク装置１０−２は、自装置の装置識別情報を「リングネットワーク＃１−２」に、自装置のＩＰアドレスを「１９２．１６８．１．２」に設定する。設定が完了すると、基幹系ネットワーク装置１０−２は親となる基幹系ネットワーク装置１０−１に対し、設定完了パケットを設定要求パケットを受信したＤＣＣ経由で送り返す。
（７）ステップＳ２０７
親となる基幹系ネットワーク装置１０−１は、基幹系ネットワーク装置１０−２からの設定完了パケットを受信後、設定が完了した装置台数を１プラスした後、設定された装置台数と、設定が完了した装置台数を比較する。
（８）ステップＳ２０８
比較の結果まだ設定されていない装置がある場合、親となる基幹系ネットワーク装置１０−１はＤＣＣ１側経由で、次の基幹系ネットワーク装置１０−３に対し、設定要求パケットを使用し設定情報を送る。
（９）ステップＳ２０９
親となる基幹系ネットワーク装置１０−１からの、基幹系ネットワーク装置１０−３に対する設定要求パケットを受信した基幹系ネットワーク装置１０−２は、自装置の装置識別情報、及び、ＩＰアドレスが設定されているか確認する。装置識別情報、及び、ＩＰアドレスが設定されていない場合、自装置に装置識別情報、及び、ＩＰアドレスを設定する（ステップＳ２０６に戻る）。
（１０）ステップＳ２１０
装置識別情報、及び、ＩＰアドレスが設定されている場合、基幹系ネットワーク装置１０−２は、設定要求パケットを受信したＤＣＣポートと別のＤＣＣポートに対し、設定要求パケットを送る。
（１１）ステップＳ２１１
設定要求パケットを受信した基幹系ネットワーク装置１０−３は、自装置の装置識別情報、及び、ＩＰアドレスが設定されているか確認する。
（１２）ステップＳ２１２
自装置の装置識別情報、及び、ＩＰアドレスが設定されていない場合、基幹系ネットワーク装置１０−３は、自装置の装置識別情報、及び、ＩＰアドレスを設定する。設定が完了すると、基幹系ネットワーク装置１０−３は親となる基幹系ネットワーク装置１０−１に対し、設定完了パケットを設定要求パケットを受信したＤＣＣ経由で送り返す。基幹系ネットワーク装置１０−３からの設定完了パケット受信した基幹系ネットワーク装置１０−２は、設定要求パケットを受信したＤＣＣポートと別のＤＣＣポートに対し、設定要求パケットを送る。
（１３）ステップＳ２１３
親となる基幹系ネットワーク装置１０−１は、基幹系ネットワーク装置１０−３からの設定完了パケットを受信後、設定が完了した装置台数を１プラスした後、設定された装置台数と、設定が完了した装置台数を比較する。
（１４）ステップＳ２１４
比較の結果まだ設定されていない装置がある場合、親となる基幹系ネットワーク装置１０−１はＤＣＣ１側経由で、次の基幹系ネットワーク装置に対し、設定要求パケットを使用し設定情報を送る。以降同様に設定要求パケット、及び、設定完了パケットをやり取りしながら、親となる基幹系ネットワーク装置１０−１は各基幹系ネットワーク装置に対し、装置識別情報、及び、ＩＰアドレスを順番に設定する。すなわち、先に説明した基幹系ネットワーク装置１０−２、基幹系ネットワーク装置１０−３に対する設定と同じ動作を、基幹系ネットワーク装置１０−Ｘまで繰り返す。
（１５）ステップＳ２１５
親となる基幹系ネットワーク装置１０−１は、基幹系ネットワーク装置１０−Ｘからの設定完了パケットを受信後、設定が完了した装置台数を１プラスした後、設定された装置台数と、設定が完了した装置台数を比較する。比較の結果、設定された装置台数と、設定が完了した装置台数が一致する為、全ての基幹ネットワーク装置の設定が完了したと判断する。
（１６）ステップＳ２１６
最後に、親となる基幹系ネットワーク装置１０−１は、制御端末２０に対し、装置識別情報、及び、ＩＰアドレスの組み合わせ一覧情報を通知する。
（１７）ステップＳ２１７
親となる基幹系ネットワーク装置１０−１から、装置識別情報、及び、ＩＰアドレスの組み合わせ一覧情報を受信した制御端末２０は、装置識別情報、及び、ＩＰアドレスの組み合わせ一覧表を自動で作成／更新する。
【００５７】
以上のように、本発明は、リニア形態、又は、リング形態のネットワークを形成する、基幹系ネットワーク装置において、装置識別情報、及び、ＩＰアドレスを、各基幹系ネットワーク装置に自動で設定出来るようにしたことを特徴としている。
【００５８】
制御端末２０は親となる基幹系ネットワーク装置１０−１に直接接続される。オペレータは、制御端末２０を使用し、親となる基幹系ネットワーク装置１０−１に対し、ネットワーク形態、装置台数、装置識別情報の元になるネットワーク名称、及び、使用可能なＩＰアドレス一覧を設定する。装置識別情報の元になるネットワーク名称、及び、使用可能なＩＰアドレス一覧が設定された、親となる基幹系ネットワーク装置１０−１は、設定要求パケットを使用し、基幹系ネットワーク装置１０−２から基幹系ネットワーク装置１０−Ｘに対し順番に、装置識別情報、及び、ＩＰアドレスを通知する。親となる基幹系ネットワーク装置１０−１から装置識別情報、及び、ＩＰアドレスを受信した基幹系ネットワーク装置１０−２から基幹系ネットワーク装置１０−Ｘは、装置識別情報、及び、ＩＰアドレスを自装置に設定した後、設定が完了したことを、親となる基幹系ネットワーク装置１０−１に対し設定完了パケットを使用し通知する。親となる基幹系ネットワーク装置１０−１はリニア形態のネットワークを形成する全ての基幹系ネットワーク装置から設定完了の通知を受信した後、制御端末２０に対し、装置識別情報、及び、ＩＰアドレスの組み合わせ一覧情報を通知する。親となる基幹系ネットワーク装置１０−１から、装置識別情報、及び、ＩＰアドレスの組み合わせ一覧情報を受信した制御端末２０は、装置識別情報、及び、ＩＰアドレスの組み合わせ一覧表を自動で作成する。
【００５９】
このようにして、本発明では、親となる基幹系ネットワーク装置１０−１が、リニア形態のネットワークを形成する基幹系ネットワーク装置１０−２から基幹系ネットワーク装置１０−Ｘに対し、設定要求パケットを使用し装置識別情報、及び、ＩＰアドレスを通知し、親となる基幹系ネットワーク装置１０−１から装置識別情報、及び、ＩＰアドレスを受信した基幹系ネットワーク装置１０−２から基幹系ネットワーク装置１０−Ｘが装置識別情報、及び、ＩＰアドレスを自装置に設定し、設定が完了したことを親となる基幹系ネットワーク装置１０−１に通知しているので、装置識別情報、及び、ＩＰアドレスを、各基幹系ネットワーク装置に自動で設定出来る。
【図面の簡単な説明】
【００６０】
【図１】図１は、従来のリニア形態のネットワークを示す図である。
【図２】図２は、本発明に係るリニア形態のネットワークを示す図である。
【図３Ａ】図３Ａは、リニア形態のネットワークにおける装置識別情報及びＩＰアドレス自動設定の動作を示すフローチャートである。
【図３Ｂ】図３Ｂは、リニア形態のネットワークにおける装置識別情報及びＩＰアドレス自動設定の動作を示すフローチャートである。
【図３Ｃ】図３Ｃは、リニア形態のネットワークにおける装置識別情報及びＩＰアドレス自動設定の動作を示すフローチャートである。
【図３Ｄ】図３Ｄは、リニア形態のネットワークにおける装置識別情報及びＩＰアドレス自動設定の動作を示すフローチャートである。
【図４】図４は、基幹系ネットワーク装置の構成例を示すブロック図である。
【図５】図５は、制御端末の構成例を示すブロック図である。
【図６】図６は、本発明に係るリング形態のネットワークを示す図である。
【図７Ａ】図７Ａは、リング形態のネットワークにおける装置識別情報及びＩＰアドレス自動設定の動作を示すフローチャートである。
【図７Ｂ】図７Ｂは、リング形態のネットワークにおける装置識別情報及びＩＰアドレス自動設定の動作を示すフローチャートである。
【図７Ｃ】図７Ｃは、リング形態のネットワークにおける装置識別情報及びＩＰアドレス自動設定の動作を示すフローチャートである。
【図７Ｄ】図７Ｄは、リング形態のネットワークにおける装置識別情報及びＩＰアドレス自動設定の動作を示すフローチャートである。
【符号の説明】
【００６１】
１（−ｉ，ｉ＝１〜Ｘ）…  従来の基幹系ネットワーク装置
２（−ｉ，ｉ＝１〜Ｘ）…  従来の制御端末
１０（−ｉ，ｉ＝１〜Ｘ）…  基幹系ネットワーク装置
１０−１…  親となる基幹系ネットワーク装置
１０−２〜１０−Ｘ…  子となる基幹系ネットワーク装置
１１…  ネットワーク形態設定部
１２…  装置台数設定部
１３…  ネットワーク名称設定部
１４…  装置識別情報設定部
１５…  ＩＰアドレス設定部
１６…  使用可能ＩＰアドレス一覧設定部
１７…  ＤＣＣ通信部
２０…  制御端末
２１…  接続部
２２…  組み合わせ一覧表管理部
【図１】
2008236317.tif 000003
【図２】
2008236317.tif 000004
【図３Ａ】
2008236317.tif 000005
【図３Ｂ】
2008236317.tif 000006
【図３Ｃ】
2008236317.tif 000007
【図３Ｄ】
2008236317.tif 000008
【図４】
2008236317.tif 000009
【図５】
2008236317.tif 000010
【図６】
2008236317.tif 000011
【図７Ａ】
2008236317.tif 000012
【図７Ｂ】
2008236317.tif 000013
【図７Ｃ】
2008236317.tif 000014
【図７Ｄ】
2008236317.tif 000015